(57)【特許請求の範囲】
【請求項１】
雨水を除く浴室排水等再利用可能な排水を回収し、流入管を通じて先端の流入口から貯水タンク内に流入させて貯溜し、利用先に供給するようになした中水設備であって、
前記流入口からの流入水の一部又は全体を受水口で受けて外部に流出させるようになし且つそれら流入口及び受水口を、該流入口に向って大流量且つ強い水勢で流入する水については該受水口を避けて該流入口から落下させ、前記貯水タンク内部に流入させる一方、小流量且つ弱い水勢で流入する水については該受水口に落下させて該受水口を通じ外部に流出するようになしたことを特徴とする中水設備。
【請求項２】
請求項１において、前記流入管の先端部に、前記流入口に向って底面部が上向きに変化するジャンプ台を形成し、水流にジャンプ力を付与して該流入口から落下させるようになしたことを特徴とする中水設備。
【請求項３】
請求項１において、前記流入管の先端部に、流路面積を狭くする絞り部を形成するとともに該絞り部の形状を、該流入管の底面部よりも上側の部分の絞り率が大となる形状となし、大流量で流入して来た水に対し絞りの作用で勢いを付加して前記流入口から落下させるようになしたことを特徴とする中水設備。
【請求項４】
請求項３において、前記絞り部は、前記底面部から上側に移行するにつれて流路幅を漸次狭めて絞り率を漸次高めるようになしてあることを特徴とする中水設備。
【請求項５】
請求項３，４の何れかにおいて、前記絞り部は、前記流入口に向って進むにつれ絞り率が高まるようになしてあることを特徴とする中水設備。
【請求項６】
請求項１において、前記流入管の先端部に請求項２のジャンプ台と請求項３〜５の何れかの絞り部とをともに形成してあることを特徴とする中水設備。
【請求項７】
請求項１〜６の何れかにおいて、前記受水口が前記貯水タンク内の余剰の水を外部に流出させる流出口であることを特徴とする中水設備。
【請求項８】
請求項７において、前記受水口に連続して且つ前記流入口から前記貯水タンクへの水の落下軌跡上に、固形分除去のためのフィルタが配設してあることを特徴とする中水設備。
【請求項９】
請求項１〜８の何れかにおいて、前記流入口及び受水口を、前記貯水タンクと連通する状態で該貯水タンク外に設けた取水枡内部に設けてあることを特徴とする中水設備。
【請求項１０】
雨水を回収し、流入口から貯水タンク内に流入させて貯留し、利用先に供給するようになした中水設備であって、
前記貯水タンクを横切る形態で該貯水タンク内に管体を設けて該管体に前記流入口を、小流量且つ弱い水勢で流入する雨水を下方に落下させて貯水タンク内に流入させる形態で設け、大流量且つ強い水勢で流入する雨水については該流入口を通過させて前記管体を流通させ、該管体の末端に設けた流出口より外部に流出させるようになしたことを特徴とする中水設備。
【請求項１１】
請求項１０において、前記流入口が前記管体の下部を切り欠いて成る下向きに開放した形態の切欠部にて構成してあることを特徴とする中水設備。
【請求項１２】
請求項１０，１１の何れかにおいて、前記管体には前記貯水タンク内の貯留水をオーバーフローさせるオーバーフロー口が設けてあることを特徴とする中水設備。
【発明の詳細な説明】
【０００１】
【発明の属する技術分野】
この発明は雨水や浴室排水等の再利用可能な排水を回収して貯水タンク内に貯溜し、これを中水として各種利用先に、例えばトイレの洗浄水として、或いは洗車用の水として、更にはまた庭の散水用の水等として供給するための中水設備に関する。
【０００２】
【発明の背景】
近年、雨水や浴室排水等の再利用可能な排水を回収して貯水タンク内に貯溜し、そしてその貯溜水（中水）をトイレの洗浄水として、或いは洗車用の水として、更にはまた庭の散水用の水等として各種利用先に供給するといったことが考えられている。
【０００３】
図１４はこの種中水設備として考えられているものの例を示している。
同図において２００は貯水タンクで、２０２は流入口、２０４は貯水タンク２００内の余剰の水を外部に流出させるための流出口である。
【０００４】
２０６は貯水タンク２００内に設けられた仕切壁で、この仕切壁２０６により貯水タンク２００内部が上水室２０８と貯水室２１０とに区画されている。
ここで上水室２０８は供給管２１６を通じて供給された上水を貯えておく部分である。
【０００５】
この上水室２０８は、土中に埋め込まれた貯水タンク２００内部が全体的に空になると強い土圧の作用で変形したり損傷したりする恐れがあることから、常に上水を貯えておくことによってそうした不具合を生じないようにする働きを有する。
尚、供給管２１６上には開閉弁２１８が設けてあり、その開閉弁２１８の開閉により、供給管２１６を通じて上水の供給及び供給停止がなされる。
【０００６】
２１２は貯水室２１０内の貯溜水（中水）を汲み出すためのポンプで、このポンプ２１２により貯水室２１０内の貯溜水が配管２１４を通じて各種利用先に供給され、トイレの洗浄水として、或いは洗車用の水として、更にはまた庭の散水用の水等として利用される。
【０００７】
この中水設備は、雨水或いは生活排水の内トイレからの汚水，台所からの排水を除いた比較的汚濁度の低い排水を再利用可能な排水として回収し、これを中水として各種利用先に供給する。
【０００８】
ところで、例えば一口に浴室排水といってもこれには浴槽内の残り湯の排水，洗い場からの排水等が含まれている。
而して前者の排水は汚濁度が低いが、後者の排水には石鹸等が含まれていて比較的汚濁度が高い。
【０００９】
更にはまた、浴室からは浴槽や洗い場を洗ったときの洗剤を含む水，濯ぎ水等が排出されたり、或いは浴槽の残り湯を洗濯水として使った後の浴槽下部に残った湯垢，ごみ等を多く含んだ水が排出されたり、或いはまた浴槽内で使用した風呂釜洗浄剤，その際に除去された汚れを含む水も排出される。
これらの排水もまた比較的汚濁度の高い排水である。
【００１０】
従ってこれらの排水全てが貯水タンクに流入すると、中水として利用するための浄化処理の負担が大きくなったり、水質が不安定となったりする問題が生じ、更にはまた浄化処理の負担が大きくなることから貯水タンクの容量が大容量化したり、設備が大型化してしまうといった問題を生じる。
【００１１】
一方多量の降雨時などにおいて貯水タンク内に多量の雨水が流入すると、貯水タンク内が満水状態である場合、或いはそうでない場合でも多量に流入する雨水によって貯水タンク内が速やかに満水化してオーバーフロー等により外部に排出されることとなる。
この場合、折角貯水タンク内で消毒等浄化処理した雨水が無駄に大量に捨てられることとなり、経済性が悪いといった問題がある。
【００１２】
またその他に、図１４に示す中水設備にあっては貯水タンク２００内の貯溜水の上澄みが流出口２０４から流出し、下部の沈殿分は排出されないといった問題も有していた。
【００１３】
【課題を解決するための手段】
本発明の中水設備はこのような課題を解決するために案出されたものである。
而して請求項１のものは、雨水を除く浴室排水等再利用可能な排水を回収し、流入管を通じて先端の流入口から貯水タンク内に流入させて貯溜し、利用先に供給するようになした中水設備であって、前記流入口からの流入水の一部又は全体を受水口で受けて外部に流出させるようになし且つそれら流入口及び受水口を、該流入口に向って大流量且つ強い水勢で流入する水については該受水口を避けて該流入口から落下させ、前記貯水タンク内部に流入させる一方、小流量且つ弱い水勢で流入する水については該受水口に落下させて該受水口を通じ外部に流出するようになしたことを特徴とする。
【００１４】
請求項２のものは、請求項１において、前記流入管の先端部に、前記流入口に向って底面部が上向きに変化するジャンプ台を形成し、水流にジャンプ力を付与して該流入口から落下させるようになしたことを特徴とする。
【００１５】
請求項３のものは、請求項１において、前記流入管の先端部に、流路面積を狭くする絞り部を形成するとともに該絞り部の形状を、該流入管の底面部よりも上側の部分の絞り率が大となる形状となし、大流量で流入して来た水に対し絞りの作用で勢いを付加して前記流入口から落下させるようになしたことを特徴とする。
【００１６】
請求項４のものは、請求項３において、前記絞り部は、前記底面部から上側に移行するにつれて流路幅を漸次狭めて絞り率を漸次高めるようになしてあることを特徴とする。
【００１７】
請求項５のものは、請求項３，４の何れかにおいて、前記絞り部は、前記流入口に向って進むにつれ絞り率が高まるようになしてあることを特徴とする。
【００１８】
請求項６のものは、請求項１において、前記流入管の先端部に請求項２のジャンプ台と請求項３〜５の何れかの絞り部とをともに形成してあることを特徴とする。
【００１９】
請求項７のものは、請求項１〜６の何れかにおいて、前記受水口が前記貯水タンク内の余剰の水を外部に流出させる流出口であることを特徴とする。
【００２０】
請求項８のものは、請求項７において、前記受水口に連続して且つ前記流入口から前記貯水タンクへの水の落下軌跡上に、固形分除去のためのフィルタが配設してあることを特徴とする。
【００２１】
請求項９のものは、請求項１〜８の何れかにおいて、前記流入口及び受水口を、前記貯水タンクと連通する状態で該貯水タンク外に設けた取水枡内部に設けてあることを特徴とする。
【００２２】
請求項１０のものは、雨水を回収し、流入口から貯水タンク内に流入させて貯留し、利用先に供給するようになした中水設備であって、前記貯水タンクを横切る形態で該貯水タンク内に管体を設けて該管体に前記流入口を、小流量且つ弱い水勢で流入する雨水を下方に落下させて貯水タンク内に流入させる形態で設け、大流量且つ強い水勢で流入する雨水については該流入口を通過させて前記管体を流通させ、該管体の末端に設けた流出口より外部に流出させるようになしたことを特徴とする。
【００２３】
請求項１１のものは、請求項１０において、前記流入口が前記管体の下部を切り欠いて成る下向きに開放した形態の切欠部にて構成してあることを特徴とする。
【００２４】
請求項１２のものは、請求項１０，１１の何れかにおいて、前記管体には前記貯水タンク内の貯留水をオーバーフローさせるオーバーフロー口が設けてあることを特徴とする。
【００２５】
【作用及び発明の効果】
上記のように本発明は、中水設備を雨水用とそれ以外とに分けて構成し、そして雨水用以外のものについては大流量且つ強い水勢で流入する水をその強い水勢を利用し、受水口を避けて流入口から落下させ、貯水タンク内部に流入させる一方、小流量且つ弱い水勢で流入する水については、その弱い水勢を利用してこれを下方の受水口に直接落下させ、外部にその受水口を通じて流出させるようになしたものである。
【００２６】
かかる本発明は、再利用可能な排水として回収した水の内、比較的汚濁度の高い排水については何れも小流量且つ弱い水勢で貯水タンクに流入して来る一方、浴槽の残り湯の排水等汚濁度の低い排水は大流量且つ強い水勢で貯水タンク内に流入して来る点を巧みに利用したものである。
【００２７】
即ち本発明によれば、小流量且つ弱い水勢で流入して来る水を外部に流出する一方、大流量且つ強い水勢で流入して来る水を貯水タンク内に流入させるようにすることで、汚濁度の低い排水のみを選択して貯水タンク内に取り込むことが可能となる。
【００２８】
この結果、貯水タンク内の貯溜水を中水として利用する際の浄化処理の負担が低減するとともに、水質を良質且つ安定化させることができる。
また浄化処理の負担が低減することで、貯水タンク容量を小容量化でき、或いは設備を小型化することができる。
【００２９】
次に請求項２のものは、流入管の先端部に流入口に向って底面部が上向きに変化するジャンプ台を形成し、水流にジャンプ力を付与して流入口から落下させるようになしたもので、このようにした場合、流入口に向って小流量且つ弱い水勢で流れて来る水と、大流量且つ強い水勢で流れて来る水との間で、流入口から落下する際の飛距離に大きな差を持たせることができる。
【００３０】
これにより、流入口からの落下水を受水口で受けるようになした場合において、流入口から落下する水の落下位置を効果的に異ならせることができ、従って汚濁度の高い水と汚濁度の低い水との分離効率をより高めることができる。これにより汚濁度の低い水の利用率を高めることができる。
【００３１】
次に請求項３のものは、流入口に向って流入管内を大流量で流入して来た水を絞りの作用で勢いを付加し、流入口から落下させるための絞り部を流入管の先端部に設けたもので、このようになした場合においても小流量且つ弱い水勢で流れて来た水と、大流量且つ強い水勢で流れて来た水との間で、流入口から落下したときの落下位置の差を大きくすることができ、従ってこの請求項３においても汚濁度の高い水と汚濁度の低い水との分離効率をより高めることができる。
【００３２】
この場合において上記絞り部は、流入管の底面部から上側に移行するにつれて流路幅を漸次狭め、絞り率を漸次高める形状のものとなしておくことができる（請求項４）。
このようにしておけば、小流量且つ弱い水勢で流れて来た水は流入管内における水位が低いことからそのような水に対しては絞りの作用が弱く、逆に大流量且つ強い水勢で流れて来た水は流入管内における水位が高いことから、かかる大流量且つ強い水勢で流れて来た水に対して効果的に絞りの作用を及ぼすことができ、従ってそれらの間で落下位置に大きな差を持たせて分離効率を効果的に高めることができる。
【００３３】
この絞り部はまた、流入口に向って進むにつれ絞り率が高まるようになしておくことができる（請求項５）。
このようにすることで、大流量且つ強い水勢で流れて来た水に対し円滑にその絞りの作用を及ぼすことができ、流入口の部分で最も強い絞りの作用を及ぼすことができる。
【００３４】
請求項６のものは、流入管の先端部に上記ジャンプ台と請求項３〜５の何れかの絞り部とを併せて形成したもので、このようにした場合に、汚濁度の低い水と汚濁度の高い水との分離効率を最も高くすることができ望ましい。
【００３５】
本発明においては、貯水タンク内の余剰の水を外部に流出させる流出口にて上記受水口を構成することができる（請求項７）。
更にこの場合において、その受水口に連続して且つ流入口から貯水タンクへの水の落下軌跡上に固形分除去のためのフィルタを配設しておくことができる（請求項８）。
このようにすれば、固形の汚れをフィルタで除去した上で排水を貯水タンク内に流入させることができ、その固形の汚れによって貯水タンク内の貯溜水の汚濁度が高まるのを防止することができる。
【００３６】
またこのように流出口を受水口とした場合において、そこに連続する形態で固形分除去のためのフィルタを設けておくと、貯水タンク内の貯溜水が流出口を通じてオーバーフローする際、フィルタ上に残った固形の汚れを、そのオーバーフロー水とともに受水口（流出口）を通じて外部に自動的に流し去ることができる利点が得られる。
【００３７】
本発明においては上記流入口及び受水口を、貯水タンクと連通する状態で貯水タンク外部に設けた取水枡内部に設けておくことができる（請求項９）。
【００３８】
次に請求項１０のものは、雨水用の中水設備において、流入口に向って小流量且つ弱い水勢で流入する雨水については流入口から貯水タンク内に流入させる一方、大流量且つ強い水勢で流入する雨水については大部分若しくは全体を流出口を通じてそのまま外部に流出させるようになしたもので、この請求項１０の中水設備にあっては、多量の雨水が貯水タンク内に流入することによって消毒等浄化処理した雨水が無駄に大量に捨てられてしまうといった不合理を解消することができる。
【００３９】
この請求項１０では、貯水タンクを横切る形態でその内部に管体を設け、その管体に小流量且つ弱い水勢で流入する雨水を下方に落下させて貯水タンク内に流入させる形態で流入口を設けておく。
そして大流量且つ強い水勢で流入する雨水については、その流入口を通過させて管体を下流側に流通させ、そして管体の末端に設けた流出口より外部に流出させるようになす。
このようにすることで、大流量且つ強い水勢で流れて来る雨水を排除して小流量且つ弱い水勢で流れて来る雨水のみを選択的に貯水タンク内に流入させることを容易に実現することができる。
ここで上記流入口は、管体の下部を切り欠いて成る下向き開放形状の切欠部にて構成することができる（請求項１１）。
【００４０】
また管体には、貯水タンク内の貯留水をオーバーフローさせるオーバーフロー口を設けておくことができる（請求項１２）。
このようにすれば、その管体をオーバーフロー用の管体として共通に用いることができる。
【００４１】
【実施例】
次に本発明の実施例を図面に基づいて詳しく説明する。
図１は雨水以外の排水を回収し、各種利用先に供給するための中水設備の例を示したものであって、図中１０は貯水タンクで１２は流入口、１４は流出口である。
流出口１４は貯水タンク１０内の余剰の水を外部にオーバーフローにより流出させる部分で、本例では、この流出口１４が流入口１２から落下する水を受水する受水口を兼ねている。
【００４２】
１６は貯水タンク１０内部に設けられた仕切壁であって、これら仕切壁１６により、貯水タンク１０内部が上水室１８と貯水室２０とに区画されている。
２２はその上水室１８に上水を供給するための供給管で、この供給管２２上には開閉弁２４が設けられている。
２６は貯水室２０内の貯溜水（中水）を汲み出すためのポンプであって、このポンプ２６により貯水室２０内の貯溜水が配管２８を通じて各種利用先に供給される。
【００４３】
図２（Ａ）に拡大して示しているように、本例では流入管３０の先端の流入口１２に対して、流出管３２の後端の流出口１４が流入口１２の下方且つ流入口１２に対して僅かに図中右側の位置に位置させてある。
【００４４】
図２（Ｂ）はそれら流入口１２，流出口１４の具体的な形状と位置関係を表したものである。
図示のようにこの例では流入口１２が横向きに、また流出口１４が上向き且つ流入口１２に対して流入口１２からの水の流入方向に若干位置をずらせて位置させてある。
この例の場合、流入管３０を通じて水が小流量且つ弱い水勢で貯水タンク１０に流入して来たとき、その大部分ないし全体が流出口１４へと落下し、流出管３２を通じてそのまま外部へと流出させられる。
【００４５】
一方大流量の水が強い水勢で流入して来たとき、流入口１２からの流入の勢いが強いためにその大部分が流出口１４へと落下せず、大きな放物線を描いて流出口１４を飛び越え、貯水タンク１０内へとそのまま落下する。
【００４６】
以上のような本例の中水設備にあっては、大流量且つ強い水勢で流入する水については、その強い水勢を利用して受水口１４を飛び越えて貯水タンク１０内部に落下させる一方、小流量且つ弱い水勢で流入する水についてはその弱い水勢を利用してこれを下方の受水口１４に落下させ、その受水口１４を通じて外部に流出させることから、再利用可能な排水として回収した水の内大流量且つ強い水勢で流れて来る水、即ち汚濁度の低い水のみを選択して貯水タンク１０内に取り込むことができる。
【００４７】
これにより貯水タンク１０内の貯溜水を中水として利用する際の浄化処理の負担が低減するとともに、水質を良質且つ安定化させることができる。
また浄化処理の負担が低減することで貯水タンク１０容量を小容量化でき、或いは設備を小型化することができる。
【００４８】
尚上記実施例において、流入管３０内部を大流量且つ強い水勢で流れて来る汚濁度の低い水は、これを全て流出口１４を飛び越えて貯水タンク１０内部に落下させることができれば望ましいが、場合によって、図６（Ａ）に示しているようにその一部が流出口１４に落下しそのまま外部に捨てられてしまうといったことも生じる。
【００４９】
図３〜図５の実施例は、これを改善すべく案出されたものである。
先ず図３の例は、流入管３０の先端部にジャンプ台５０を設けた例である。ここでジャンプ台５０はその底面部５２が流入口１２に向って上向きに変化している。
この例では底面部５２は平面且つ斜面となしてあるが、場合によって湾曲面となしておくこともできる。
【００５０】
流入管３０の先端部にこのようなジャンプ台５０を設けた場合、図６（Ｂ）に示しているように流入口１２に向って小流量且つ弱い水勢で流れて来る水と、大流量且つ強い水勢で流れて来る水との間で、流入口１２から落下する際の飛距離に大きな差を持たせることができることから、流入口１２から落下する水の落下位置を効果的に異ならせることができ、従って汚濁度の高い水と汚濁度の低い水との分離効率をより高めることができる。
これにより汚濁度の低い水の利用率を高めることができる。
【００５１】
図４は本発明の更に他の実施例を示している。
この例は、流入管３０の先端部に一対の突出部５６を設けて、それらにより流入管３０の先端部の絞り部５４を形成したものである。
絞り部５４は、流入管３０内部の最下位置から図４（Ｂ）中Ｈ１だけ上側の位置と、更にそれからＨ２だけ上側の位置との間の部分に設けられており、左右の一対の側面５８が上方に移行するにつれて互いに接近するような傾斜面とされている。
【００５２】
更にまたこれら両側面５８は図４（Ａ）に示しているように流入管３０の先端の流入口１２に向って軸方向に進むにつれ、互いに接近するような傾斜面とされている。
尚これら側面５８についても傾斜面でなく湾曲面となしておくこともできる。
【００５３】
このような絞り部５４を、流入管３０の先端部に設けた場合においても、汚濁度の低い水と汚濁度の高い水との分離効率を効果的に高めることができる。
【００５４】
またこの場合において、小流量且つ弱い水勢で流れて来た水に対しては絞りの作用が弱く、逆に大流量且つ強い水勢で流れて来た水は流入管３０内における水位が高いことから、かかる大流量且つ強い水勢で流れて来た水に対して効果的に絞りの作用を及ぼすことができ、従ってそれらの間で落下位置に大きな差を持たせて分離効率を効果的に高めることができる。
【００５５】
この絞り部５４はまた、流入口１２に向かって進むにつれ絞り率が高まるようになしてあるため、大流量且つ強い水勢で流れて来た水に対し円滑にその絞りの作用を及ぼすことができ、流入管３０の先端の流入口１２の部分で最も強い絞りの作用を及ぼすことができる。
【００５６】
図５は本発明の更に他の実施例を示したもので、この例は流入管３０の先端部に図３に示すジャンプ台５０と図４に示す絞り部５４とを併せて形成した例である。
このようにした場合汚濁度の低い水と汚濁度の高い水との分離効率を最も高くすることができる。
【００５７】
尚、図３〜図５の例において上記のジャンプ台５０，絞り部５４は、別体の部材を流入管３０に固定してそれらジャンプ台５０，絞り部５４を設けることもできるし、或いはまたそれらを流入管３０に一体形成しておくこともできる。
【００５８】
図７は本発明者が図３のジャンプ台５０，図４の絞り部５４及びそれらを流入管３０の先端部に併せて設けた場合において、小流量且つ弱い水勢で流れて来る汚濁度の高い水と、大流量且つ強い水勢で流れて来る汚濁度の低い水との分離効率を測定した結果を、そのようなジャンプ台５０，絞り部５４を設けない場合との比較において示したものである。
【００５９】
尚この実験は、配管は排水用塩化ビニル配管で呼び径が１００ｍｍのものを使用し、ジャンプ台５０における図３中の寸法Ｗを６８ｍｍ，Ｈを１８ｍｍ，Ｌを５６ｍｍとし、また図４における絞り部５４の形状を図中Ｗ１が６８ｍｍ，Ｈ１が１８ｍｍ，Ｈ２が３５ｍｍ，Ｗ２が４５ｍｍ，Ｌ１が１９０ｍｍとしたときの実験結果である。
【００６０】
この結果から分るように、ジャンプ台５０，絞り部５４を設けることによって、更にはそれらを併せて設けることによって、分離効率を効果的に高め得ることが分る。
【００６１】
図８は本発明の更に他の例を示したもので、この例は流入管３０の先端に横向きの開放形の流入口（第１の流入口）１２を設ける一方、その流入管３０の先端近傍位置に下向きの切欠形状をなす第２の流入口３４を設け、そしてその第２の流入口３４のほぼ直下に流出口１４を位置させた例である。
【００６２】
この例においても、小流量且つ弱い水勢で流入して来た水については、その大部分ないし全体が下向きの切欠形状の第２の流入口３４からそのほぼ直下の流出口１４へと落下し、外部へと流出させられる一方、大流量且つ強い水勢で流入管３０を通じて流入して来た水については、第２の流入口３４を強い水勢で通過した上、その先端の流入口１２から大きな放物線を描いて直接貯水タンク１０内へと落下する。
【００６３】
図９の例は、上記図８の例と異なって流入管３０の先端に横向き開放形状の第１の流入口１２を形成する一方、その近傍位置において流入管３０の上部に上向きの切欠形状をなす第２の流入口３６を形成し、そして流出管３２の後端の流出口１４を第１の流入口１２のほぼ直下に、厳密には図９（Ａ）中僅かに右側にずれた位置に位置させたもので、この例においては、流入管３０を通じて小流量且つ弱い水勢で流入して来た水については、その先端の第１の流入口１２から直下の流出口１４へと落下し、そのまま流出管３２を通じて外部へと流出させられる。
【００６４】
また一方大流量且つ強い水勢で流入して来た水については、その一部が先端の第１の流入口１２から直下の流出口１４へ又はこの流出口１４を飛び越えて貯水タンク１０内に落下するが、その大部分は第１の流出口１２の直前の第２の流入口３６からそのまま貯水タンク１０内に落下する。
【００６５】
図１０は本発明の更に他の実施例を示したもので、この例は図２に示す第１の実施例において、流出管３２に且つ流出口１４に連続した形態で、流入口１２から貯水タンク１０内への水の落下軌跡上にフィルタ３８を設け、流入口１２から貯水タンク１０内に落下する水中からそのフィルタ３８により固形の汚れを除去するようになした例である。
【００６６】
この図１０の例の場合、流入口１２から貯水タンク１０内へと投入される排水中から固形の汚れをフィルタ３８により除去した上で、これを貯水タンク１０内へと落下させることができる。即ち固形の汚れを取り除いた上で排水を貯水タンク１０内へと落下させることができる。
或いはまた、貯水タンク１０内の水を流出口１４を通じて外部にオーバーフローさせる際、フィルタ３８上に残った固形の汚れをオーバーフロー水とともに流出管３２を通じて外部へと自動的に流し去ることができる。
【００６７】
尚図１０の例は、図１の実施例において流出口１４に連続した形態でフィルタ３８を設けた例であるが、図８の実施例において第１の流入口１２から貯水タンク１０内への排水の落下軌跡上に、或いはまた図９の実施例における第２の流入口３６から貯水タンク１０内への排水の落下軌跡上に且つ各流出口に連続した形態でフィルタを設けておくことも可能である。
【００６８】
図１１は本発明の更に他の実施例を示したもので、この例は貯水タンク１０の外部に取水枡４０を設けてこれを連通管４２にて貯水タンク１０と連通させ、そしてその取水枡４０内に流入口１２と流出口１４とを設けた例である。
尚この例では流出管３２にフィルタ３８が併せて設けてある。
【００６９】
この例の場合においても、小流量且つ弱い水勢で流入して来た水についてはそのまま流出管３２を通じて外部に流出させることができる一方で、大流量且つ強い水勢で流入して来た水については取水枡４０に一旦流入させた上、これを連通管４２を通じて貯水タンク１０内へと導き入れることができる。
【００７０】
この図１１の例の場合、既設の貯水タンク１０に対し連通管４２を介して取水枡４０を連結し、そこに流入管３０及び流出管３２を接続するだけで、回収した水の内汚濁度の低い排水のみを貯水タンク１０内に流入させる機能を付加することができる利点が得られる。
【００７１】
図１２，図１３は本発明の更に他の実施例を示している。
この例は雨水用の中水設備の例で、図１２に示しているように貯水タンク１０内部が仕切壁１６によって沈砂室６０と貯水室２０とに区画されている。
この例では、貯水タンク１０外部の流入管３０及び流出管３２を繋ぐようにして管体６２が、貯水タンク１０内部且つ上部に貯水タンク１０を横切るようにして配管されている。
【００７２】
而して管体６２には流入側端部近傍位置に流入口６４が形成され、また管体６２の流出側端に近い位置において、即ち貯水室２０においてオーバーフロー口６８が形成されている。
ここで流入口６４は、管体６２の下部を下向き開放形状に切り欠いて成る切欠部にて構成してある。
またオーバーフロー口６８は、管体６２の上部を上向き開放形状に切り欠いて成る切欠部にて構成してある。
尚、図１３に示しているように流入口６４は、ここでは高さ及び幅ともに３０ｍｍの寸法で形成されており、またオーバーフロー口６８は高さ６０ｍｍ，幅８０ｍｍの寸法で形成されている。
【００７３】
この中水設備では、流量６０リットル／分までの流量で流入する雨水を貯水タンク１０内部に流入させるべく、流入口６４の高さ及び幅寸法が選ばれている。
具体的には、流量６０リットル／分で雨水が流入する際、管体６２内における排水深は２５ｍｍ程度であり、これよりも僅かに高い寸法で流入口６４が形成してある。
尚、オーバーフロー口６８は貯水室２０内の貯溜水をオーバーフローにより管体６２内部に流入させ、引き続いて流出口６６から流出管３２へと流出させるものである。
【００７４】
図１２において、７２は地上に設置されたポンプユニットでその内部にポンプ２６が設置されている。
この例の中水設備の場合、流入管３０を通じて流入口６４に向い流入して来る雨水が少流量且つ弱い水勢である場合、その大部分が流入口６４を通じて貯水タンク１０内、具体的には沈砂室６０内へと落下流入させられる。
【００７５】
沈砂室６０に流入した雨水はそこで砂が沈降分離され、上澄液がオーバーフローにより貯水室２０内へと流入する。
その際オーバーフロー水は消毒器７０で消毒された上、貯水室２０内に流入する。
そしてこの貯水室２０内に貯溜収容された貯溜水が、ポンプ２６により汲み上げられて各種利用先に供給される。
【００７６】
一方流入口６４に向って大流量且つ強い水勢で雨水が流入して来たとき、その大部分は流入口６４を通過して管体６２内を流通し、そしてその末端の横向きの流出口６６から流出管３２へと流れ込んで外部へと排出される。
【００７７】
本例の中水設備によれば、多量の雨水が貯水タンク１０内に流入することによって消毒等浄化処理した雨水が無駄に大量に捨てられてしまうといった不合理を解消することができる。
【００７８】
尚、この例の流入口６４及び流出口６６はあくまで一例を示したに過ぎないものであって、例えば上記各実施例（図１〜図１１）の流入口，流出口をこの雨水用の中水設備に適用し、且つその際のそれら流入口，流出口を、小流量且つ弱い水勢で流入して来る雨水については直接貯水タンク１０内に落下させるようにし、一方で大流量且つ強い水勢で流入して来る雨水については、これを流出口で受けて外部に流出させるように、それら流入口，流出口の形態及び位置関係を定めるといったことも可能である。
その他上記各実施例（図１〜図１１）における構成を図１２及び図１３の実施例に適用するといったことも可能である。
【００７９】
以上本発明の実施例を詳述したがこれはあくまで一例示であり、本発明は図１，図１２に示す形態以外の様々な形態の貯水タンクを備えた中水設備に適用することが可能であるなど、その主旨を逸脱しない範囲において種々変更を加えた形態で構成可能である。
【図面の簡単な説明】
【図１】  本発明の一実施例である中水設備を示す図である。
【図２】  図１における要部を拡大して示す図である。
【図３】  本発明の他の実施例の要部を拡大して示す図である。
【図４】  本発明の更に他の実施例の要部を拡大して示す図である。
【図５】  本発明の更に他の実施例の要部を拡大して示す図である。
【図６】  図３〜図５の実施例の利点の説明図である。
【図７】  図３〜図５の実施例の効果を確認するために行った実験結果を示す図である。
【図８】  本発明の更に他の実施例の要部を拡大して示す図である。
【図９】  本発明の更に他の実施例の要部を拡大して示す図である。
【図１０】  本発明の更に他の実施例の要部を拡大して示す図である。
【図１１】  本発明の更に他の実施例の要部を拡大して示す図である。
【図１２】  本発明の更に他の実施例の中水設備を示す図である。
【図１３】  図１２の中水設備の要部を拡大して示す図である。
【図１４】  本発明の背景説明のために示した中水設備の比較例図である。
【符号の説明】
１０  貯水タンク
１２  流入口
１４  流出口（受水口）
３０  流入管
３８  フィルタ
４０  取水枡
５０  ジャンプ台
５２  底面部
５４  絞り部
６２  管体
６４  流入口
６６  流出口
６８  オーバーフロー口
【図１】
0003866061.tif 000002
【図２】
0003866061.tif 000003
【図３】
0003866061.tif 000004
【図４】
0003866061.tif 000005
【図５】
0003866061.tif 000006
【図６】
0003866061.tif 000007
【図７】
0003866061.tif 000008
【図８】
0003866061.tif 000009
【図９】
0003866061.tif 000010
【図１０】
0003866061.tif 000011
【図１１】
0003866061.tif 000012
【図１２】
0003866061.tif 000013
【図１３】
0003866061.tif 000014
【図１４】
0003866061.tif 000015